(57)【要約】【課題】押釦つまみの周囲に揺動つまみを設置してなる構造の多方向押圧型スイッチであって、押釦つまみによってオンするスイッチを多段にしても薄型化と小型化が図れ且つ組み立てが容易な多方向押圧型スイッチ及び多方向押圧型スイッチ基板を提供する。【解決手段】多方向押圧型スイッチ１は、押釦つまみ５０と、押釦つまみ５０の周囲に設置される揺動つまみ３０と、揺動つまみ３０に設けた押圧部３５に対向する位置に設置される外周スイッチ９２と、押釦つまみ５０に設けた押圧部５２に対向する位置に設置される二段の中央スイッチ１０２，１５２とを具備して構成される。二段の中央スイッチ１０２，１５２は、可撓性を有する合成樹脂フイルムに形成した複数のスイッチ１０２，１５２を押釦つまみ５０の押圧方向に向けて上下に重ねることで構成される。【選択図】      図４
2004303617.tif 000002
【特許請求の範囲】
【請求項１】
押釦つまみと、押釦つまみの周囲に設置される揺動つまみと、揺動つまみに設けた押圧部に対向する位置に設置される外周スイッチと、押釦つまみに設けた押圧部に対向する位置に設置される中央スイッチとを具備し、
前記中央スイッチを、複数のスイッチを押釦つまみの押圧方向に向けて複数段設置してなる多段スイッチで構成したことを特徴とする多方向押圧型スイッチ。
【請求項２】
前記中央スイッチを構成する多段スイッチは、可撓性を有する合成樹脂フイルムに形成した複数のスイッチを押釦つまみの押圧方向に向けて上下に重ねることで構成され、且つ前記揺動つまみは前記合成樹脂フイルム上に取り付けられ、前記押釦つまみは該合成樹脂フイルムと揺動つまみの間に収納されることを特徴とする請求項１に記載の多方向押圧型スイッチ。
【請求項３】
第一中央スイッチ反転板を取り付けた第一中央スイッチを設けた第一中央スイッチ基板と、第二中央スイッチ反転板を取り付けた第二中央スイッチを設けた第二中央スイッチ基板と、第一，第二中央スイッチの外周に位置する外周スイッチ反転板を取り付けた外周スイッチを設けた外周スイッチ基板とを具備し、前記第一中央スイッチ反転板と外周スイッチ反転板とが互いに向き合う方向であって第一中央スイッチ反転板と外周スイッチ反転板とが上下方向にて重なり合うように前記外周スイッチ基板と第一中央スイッチ基板とを上下に積層させ、さらに第一中央スイッチ基板の上に第二中央スイッチ基板を積層させたことを特徴とする多方向押圧型スイッチ基板。
【発明の詳細な説明】
【０００１】
【発明の属する技術分野】
本発明は、揺動つまみを多方向に揺動させることでその下に配置したスイッチをオンオフし、また揺動つまみの中央に設置した押釦つまみを押圧することでその下に配置したスイッチをオンオフする構造の多方向押圧型スイッチ及び多方向押圧型スイッチ基板に関するものである。
【０００２】
【従来の技術】
従来、車載用ナビゲーションシステム、コンピュータ、各種携帯機器、各種ＯＡ機器、ゲーム機などを操作するデバイスとして、多方向押圧型スイッチがある。そして多方向押圧型スイッチの中には、円盤状（パッド状）の揺動つまみの中央に押釦つまみを設けた構造のものがある。
【０００３】
図７はこの種の従来の多方向押圧型スイッチ３００を示す概略断面図である（特許文献１の図４参照）。この多方向押圧型スイッチ３００は、押釦つまみ３１０と、押釦つまみ３１０を中央の貫通孔３３３に挿通した状態で揺動する揺動つまみ３３０とを可撓性フイルムからなる連結部材３５０上に取り付け、連結部材３５０によって一体化された押釦つまみ３１０と揺動つまみ３３０とを取付板３７０上に固定したスイッチ基板３９０の上に設置し、そのときスイッチ基板３９０の中央とその周囲四ヵ所（図では二ヶ所のみ示す）に取り付けた反転板（可動接点板）３９１の上に前記押釦つまみ３１０の押圧部３１１と前記揺動つまみ３３０の四ヶ所の押圧部３３１（図では二ヶ所のみ示す）とを当接し、さらに前記連結部材３５０を揺動つまみ３３０の周囲を覆うケース４１０の図示しない所定部分に固定して構成されている。
【０００４】
この多方向押圧型スイッチ３００によれば、可撓性フイルムからなる薄い連結部材３５０上に押釦つまみ３１０と揺動つまみ３３０とを取り付けるので、その小型・薄型化が図れる。
【０００５】
しかしながら従来、上記のように押釦つまみの周囲に揺動つまみを設置してなる構造の多方向押圧型スイッチにおいて、中央の押釦つまみによって押圧されるスイッチを複数段とし、押釦つまみを押圧する押圧力に応じて前記複数段のスイッチを順次オンしていく構造の多方向押圧型スイッチはなかった。
【０００６】
【特許文献１】
特開２００１−１８５００４号公報
【０００７】
【発明が解決しようとする課題】
本発明は上述の点に鑑みてなされたものでありその目的は、押釦つまみの周囲に揺動つまみを設置してなる構造の多方向押圧型スイッチであって、前記押釦つまみによってオンするスイッチを多段にしても、薄型化と小型化が図れ、且つ組み立てが容易な多方向押圧型スイッチ及び多方向押圧型スイッチ基板を提供することにある。
【０００８】
【課題を解決するための手段】
上記問題点を解決するため本発明にかかる多方向押圧型スイッチは、押釦つまみと、押釦つまみの周囲に設置される揺動つまみと、揺動つまみに設けた押圧部に対向する位置に設置される外周スイッチと、押釦つまみに設けた押圧部に対向する位置に設置される中央スイッチとを具備し、前記中央スイッチを、複数のスイッチを押釦つまみの押圧方向に向けて複数段設置してなる多段スイッチで構成したことを特徴とする。
【０００９】
また本発明は、前記中央スイッチを構成する多段スイッチが、可撓性を有する合成樹脂フイルムに形成した複数のスイッチを押釦つまみの押圧方向に向けて上下に重ねることで構成され、且つ前記揺動つまみは前記合成樹脂フイルム上に取り付けられ、前記押釦つまみは該合成樹脂フイルムと揺動つまみの間に収納されることを特徴とする。
【００１０】
また本発明にかかる多方向押圧型スイッチ基板は、第一中央スイッチ反転板を取り付けた第一中央スイッチを設けた第一中央スイッチ基板と、第二中央スイッチ反転板を取り付けた第二中央スイッチを設けた第二中央スイッチ基板と、第一，第二中央スイッチの外周に位置する外周スイッチ反転板を取り付けた外周スイッチを設けた外周スイッチ基板とを具備し、前記第一中央スイッチ反転板と外周スイッチ反転板とが互いに向き合う方向であって第一中央スイッチ反転板と外周スイッチ反転板とが上下方向にて重なり合うように前記外周スイッチ基板と第一中央スイッチ基板とを上下に積層させ、さらに第一中央スイッチ基板の上に第二中央スイッチ基板を積層させたことを特徴とする。
【００１１】
【発明の実施の形態】
以下、本発明の実施の形態を図面を参照して詳細に説明する。
図１は本発明の第一の実施の形態にかかる多方向押圧型スイッチ１の分解斜視図である。同図に示すようにこの多方向押圧型スイッチ１は、ケース１０と、揺動つまみ３０と、押釦つまみ５０と、外周スイッチ基板９０と第一中央スイッチ基板１００と第二中央スイッチ基板１５０とを一体に設けた多方向押圧型スイッチ基板８０と、基台１２０とを具備して構成されている。以下各構成部品について説明する。
【００１２】
ケース１０は合成樹脂をリング状に成形し、中央に開口１１を設けて構成されている。ケース１０の下面には、等間隔に４つの凹部１３が設けられ、各凹部１３付近には下方向に向かって突出する突起状の係止部１５が設けられ、また各係止部１５の横には下方向に向かって突出する突起状の固定部１７が設けられている。
【００１３】
図２は揺動つまみ３０と押釦つまみ５０とを上面側から見た斜視図である。同図及び図１に示すように揺動つまみ３０は、合成樹脂を略円盤状に成形して構成されており、その中央には押釦つまみ５０を挿入する円形の挿通孔３１を設け、またその外周にはつば部３２を設け、またその上面の外周近傍には等間隔に四つの矢印形状の押圧方向指示部３３を設け、一方その下面の前記各押圧方向指示部３３に対応する位置には小突起状の押圧部３５を設けて構成されている。各押圧部３５の両外周側面からは固定部３７，３７が突出するように設けられている。また揺動つまみ３０の下面の挿通孔３１の周囲には等間隔に上下方向に延びる四本のガイド溝３９が設けられ、さらにガイド溝３９の外周側には第二中央スイッチ基板収納部３８が設けられている。
【００１４】
次に押釦つまみ５０は合成樹脂を略円柱形状に成形して構成されており、本体部５１の下部に本体部５１よりも大径のつば部５３を設け、つば部５３の下面中央に突起状の押圧部５２を突出し、さらにつば部５３の外周側面から等間隔に四つのガイド突起５５を突出して構成されている。
【００１５】
多方向押圧型スイッチ基板８０は可撓性のある合成樹脂フイルム（例えばポリエチレンテレフタレートフイルム）に、外周スイッチ基板９０と第一中央スイッチ基板１００と第二中央スイッチ基板１５０とを一体に設け、外周スイッチ基板９０と第一中央スイッチ基板１００とを連結部１１０によって連結し、第一中央スイッチ基板１００と第二中央スイッチ基板１５０とを連結部１１５によって連結して構成されている。外周スイッチ基板９０は略円形であり、円周状に四つ設けた接点パターンからなる外周スイッチ接点９１の上にそれぞれドーム形状の弾性金属板製の外周スイッチ反転板９５を設置することでそれぞれ外周スイッチ９２を構成し（この外周スイッチ９２の場合、外周スイッチ反転板９５が可動接点板となっている）、さらに外周スイッチ基板９０の上面中央に押圧部挿入用開口９７を設けている。また外周スイッチ基板９０の周囲には前記ケース１０の固定部１７を挿入する四つの固定用孔９８が設けられ、またその外周からは回路引出部９９が突出して設けられている。なお外周スイッチ９２はこの構造のものに限定されるものではなく種々の変形が可能であり、例えば二枚の合成樹脂フイルムに設けたスイッチ接点を間隙を持って対向することで形成されるスイッチの上にクリック用の反転板を設置して構成しても良い。
【００１６】
第一中央スイッチ基板１００は略四角形状であり、中央に設けた一つの第一中央スイッチ接点１０１の上に第一中央スイッチ反転板１０５を設置することで第一中央スイッチ１０２を構成し（この第一中央スイッチ１０２の場合も第一中央スイッチ反転板１０５が可動接点板となっている）、さらに第一中央スイッチ反転板１０５の周囲四ヵ所に前記揺動つまみ３０の押圧部３５及び固定部３７，３７を挿通する形状の固定孔１０３を設け、さらにその外周から三本の引出部１０７を突出してそれらの先端近傍と前記連結部１１０とにそれぞれ前記ケース１０の係止部１５に挿入される係止孔１０９を設けている。なおこの第一中央スイッチ１０２の構造も上記構造に限定されず、例えば二枚の合成樹脂フイルムに設けたスイッチ接点を間隙を持って対向することで形成されるスイッチの上にクリック用の反転板を設置して構成しても良い。
【００１７】
第二中央スイッチ基板１５０は略四角形状であり、中央に設けた一つの第二中央スイッチ接点１５１の上に第二中央スイッチ反転板１５５を設置することで第二中央スイッチ１５２を構成している（この第二中央スイッチ１５２の場合も第二中央スイッチ反転板１５５が可動接点板となっている）。そして第二中央スイッチ基板１５０の第二中央スイッチ反転板１５５を設置した反対側の面には補強板１５７が接着などによって取り付けられている。補強板１５７は合成樹脂を平板状に成形して構成されている。なおこの第二中央スイッチ１５２の構造も上記構造に限定されず、例えば二枚の合成樹脂フイルムに設けたスイッチ接点を間隙を持って対向することで形成されるスイッチの上にクリック用の反転板を設置して構成しても良い。なお第一，第二中央スイッチ反転板１０５，１５５は、これらを反転させるための押圧力を異ならせている（この実施の形態では第二中央スイッチ反転板１５５を反転させるための押圧力の方が、第一中央スイッチ反転板１０５を反転させるための押圧力よりも小さくなるようにしている）。
【００１８】
基台１２０は硬質材（例えば金属板）によって構成され、前記外周スイッチ基板９０の押圧部挿入用開口９７に対向する位置には外周スイッチ基板９０側の部材である基台１２０を板金加工によって上方向に凸となるように成形してなる押圧部１２３を設け、また前記外周スイッチ基板９０の各固定用孔９８に対向する位置には貫通部１２１を設けている。
【００１９】
そしてこの多方向押圧型スイッチ１を組み立てるには、まず図１において、補強板１５７を取り付けた第二中央スイッチ基板１５０を、第一中央スイッチ基板１００の下面（以下の折り返し工程によって上面となる）側に折り返して第一，第二中央スイッチ１０２，１５２を上下に積層し、次に揺動つまみ３０の挿通孔３１にその下面側から押釦つまみ５０の本体部５１を挿入した上で、この揺動つまみ３０の下面を、第一中央スイッチ基板１００の下面に当接する。このとき第二中央スイッチ基板１５０と補強板１５７は第二中央スイッチ基板収納部３８内に収納され、また揺動つまみ３０の各押圧部３５及び固定部３７，３７は第一中央スイッチ基板１００の各固定孔１０３に挿入される。そして両固定部３７，３７を熱カシメして潰すことで揺動つまみ３０を第一中央スイッチ基板１００に固定する。このとき押釦つまみ５０は、そのガイド突起５５が揺動つまみ３０のガイド溝３９内に上下動自在に挿入されガイドされ、揺動つまみ３０と第二中央スイッチ基板１５０の間に位置する。
【００２０】
次に第一，第二中央スイッチ基板１００，１５０を取り付けた揺動つまみ３０の上面側を、ケース１０の開口１１にその下面側から挿入する（図１で言えば第一，第二中央スイッチ基板１００，１５０を取り付けた揺動つまみ３０を揺動つまみ３０の上面が上向きとなるように外周スイッチ基板９０の上面側に折り返したものをケース１０の開口１１にその下面側から挿入する）。そのときケース１０の各係止部１５を第一中央スイッチ基板１００の各係止孔１０９に挿入し、各係止部１５の先端を熱カシメすることでケース１０に第一中央スイッチ基板１００を固定する。このとき揺動つまみ３０の上面は、ケース１０の開口１１からその上面側に露出し、また押釦つまみ５０の本体部５１の上面も揺動つまみ３０の挿通孔３１から露出している（図３参照）。
【００２１】
次に第一，第二中央スイッチ基板１００，１５０等を取り付けたケース１０を、基台１２０上に載置した外周スイッチ基板９０の上に載置し、その際ケース１０に設けた各固定部１７を外周スイッチ基板９０の各固定用孔９８と、基台１２０の各貫通部１２１に挿入し、基台１２０の下面で各固定部１７の先端を熱カシメして固定すれば、図３に示すような多方向押圧型スイッチ１が完成する。
【００２２】
図４は多方向押圧型スイッチ１の概略側断面図（図３のＢ−Ｂ断面図）である。同図に示すように多方向押圧型スイッチ１は、外周スイッチ基板９０と第一中央スイッチ基板１００を、外周スイッチ反転板９５と第一中央スイッチ反転板１０５とが互いに向き合う方向に上下に積層させて設置するとともに、第一中央スイッチ基板１００の上に補強板１５７を介して第二中央スイッチ基板１５０を積層することで、第一中央スイッチ１０２の上部に第二中央スイッチ１５２を設置し、さらに第二中央スイッチ反転板１５５（即ち第二中央スイッチ１５２）上に押釦つまみ５０を設置し、外周スイッチ反転板９５（即ち外周スイッチ９２）上に揺動つまみ３０を設置して構成されている。このとき揺動つまみ３０の各押圧部３５は各外周スイッチ反転板９５の上面中央に当接又は接近して配置され、一方外周スイッチ基板９０の押圧部挿入用開口９７内に挿入された押圧部１２３は第一中央スイッチ反転板１０５の上面中央に当接又は接近して配置され、また第一，第二中央スイッチ基板１００，１５０の第一，第二中央スイッチ反転板１０５，１５５を取り付けた面のそれぞれ反対側の面は補強板１５７によって支持されている。
【００２３】
上記多方向押圧型スイッチ１は、可撓性を有する合成樹脂フイルムに形成した二つのスイッチ１０２，１５２を押釦つまみ５０の押圧方向に向けて上下に重ねて設置することで多段スイッチを構成しているので、多段スイッチの厚みは一枚の補強板１５７と二枚のフイルムと二枚の反転板１０５，１５５の厚みを加えた厚みだけとなり、スイッチが上下二段であるにもかかわらずその厚みの薄型化が図れ、また一枚のフイルムを折り畳むだけで二つのスイッチ１０２，１５２を押釦つまみ５０の押圧方向に向けて上下に重ねて設置することができるので、その組み立てが容易で部品点数も少なくて済み、製造コストの低廉化も図れる。
【００２４】
また上記多方向押圧型スイッチ１は、第一中央スイッチ反転板１０５を取り付けた第一中央スイッチ基板１００と、外周スイッチ反転板９５を取り付けた外周スイッチ基板９０とを、外周スイッチ反転板９５と第一中央スイッチ反転板１０５とが互いに向き合うように上下に積層させて設置しているので、第一中央スイッチ反転板１０５に対して外周スイッチ反転板９５を、両者の外周が所定寸法Ｄにわたって上下方向に重なり合うように設置することができ、その分第一中央スイッチ反転板１０５に対して外周スイッチ反転板９５を集約して設置することができ、多方向押圧型スイッチ１の小型化が図れる。なお第一中央スイッチ反転板１０５は反転した際に外周スイッチ反転板９５に接しない程度に上方に位置している。
【００２５】
上記多方向押圧型スイッチ１において、押釦つまみ５０を押圧すると押圧部５２が第二中央スイッチ反転板１５５を押圧してこれを反転し第二中央スイッチ１５２がオンする。さらに押釦つまみ５０を押圧すると押圧部１２３が第一中央スイッチ反転板１０５を押圧してこれを反転し第一中央スイッチ１０２がオンする。押釦つまみ５０への押圧を解除すると、第一，第二中央スイッチ反転板１０５，１５５の弾性復帰力によって上方向に押し上げられ、まず第一中央スイッチ１０２がオフした後に第二中央スイッチ１５２がオフする。
【００２６】
一方揺動つまみ３０の何れかの押圧方向指示部３３の部分を押圧すれば、押圧した部分が下降し、下降した部分の真下の押圧部３５がこれに対向する外周スイッチ反転板９５を押圧してこれを反転し、外周スイッチ９２がオンする。揺動つまみ３０への押圧を解除すると、外周スイッチ反転板９５の弾性復帰力によって揺動つまみ３０は元の中立位置に押し上げられ、外周スイッチ９２はオフする。
【００２７】
ところで揺動つまみ３０は可撓性を有するフイルムからなる第一中央スイッチ基板１００上に取り付けられ、押釦つまみ５０は揺動つまみ３０と第一中央スイッチ基板１００の間に収納されているので、揺動つまみ３０と押釦つまみ５０の動作をそれぞれほぼ独立して行わせることができるばかりか、両者の一体化とケース１０への固定とが容易になり、また構造の簡素化が図れる。
【００２８】
図５は本発明の第二の実施の形態にかかる多方向押圧型スイッチ１−２の分解斜視図である。同図に示すように多方向押圧型スイッチ１−２は、ケース１０−２と、揺動つまみ３０−２と、押釦つまみ５０−２と、外周及び第一中央スイッチ基板９０−２と第二中央スイッチ基板１５０−２とを一体に設けた多方向押圧型スイッチ基板８０−２と、基台１２０−２とを具備して構成されている。以下各構成部品について説明する。
【００２９】
ケース１０−２は前記ケース１０と全く同一の構成である。また揺動つまみ３０−２も第二中央スイッチ基板収納部３８を設けていない点以外は前記揺動つまみ３０の構成と同一の構成である。押釦つまみ５０−２もつば部５３の厚みが厚い以外は前記押釦つまみ５０の構成と同一の構成である。基台１２０−２も押圧部１２３を設けていない点以外は前記基台１２０の構成と同一の構成である。
【００３０】
多方向押圧型スイッチ基板８０−２は可撓性のある合成樹脂フイルム（例えばポリエチレンテレフタレートフイルム）に、外周及び第一中央スイッチ基板９０−２と第二中央スイッチ基板１５０−２とを一体に設け、連結部１１０によって連結して構成されている。外周及び第一中央スイッチ基板９０−２は略円形であり、円周状に四つ設けた接点パターンからなる外周スイッチ接点９１の上にそれぞれドーム形状の弾性金属板製の外周スイッチ反転板９５を設置することでそれぞれ外周スイッチ９２を構成し（この外周スイッチ９２の場合、外周スイッチ反転板９５が可動接点板となっている）、且つこれら外周スイッチ９２の中央に設けた接点パターンからなる第一中央スイッチ接点１０１の上にドーム形状の弾性金属板製の第一中央スイッチ反転板１０５を設置することで第一中央スイッチ１０２を構成している（この第一中央スイッチ１０２の場合、第一中央スイッチ反転板１０５が可動接点板となっている）。また外周及び第一中央スイッチ基板９０−２の周囲には前記ケース１０−２の固定部１７を挿入する四つの固定用孔９８が設けられ、またその外周からは回路引出部９９が突出して設けられている。なお外周スイッチ９２及び第一中央スイッチ１０２の構造に種々の変形が可能であることは前記実施の形態の場合と同様である。
【００３１】
第二中央スイッチ基板１５０−２は略四角形状であり、中央下面（組み立てた後には上面となる）に設けた一つの第二中央スイッチ接点１５１の下に第二中央スイッチ反転板１５５を設置することで第二中央スイッチ１５２を構成し（この第二中央スイッチ１５２の場合も第二中央スイッチ反転板１５５が可動接点板となっている）、さらに第二中央スイッチ反転板１５５の周囲四ヵ所に揺動つまみ３０−２の押圧部３５及び固定部３７，３７を挿通する形状の固定孔１０３を設け、さらにその外周から三本の引出部１０７を突出してそれらの先端近傍と前記連結部１１０とにそれぞれ前記ケース１０−２の係止部１５に挿入される係止孔１０９を設けている。なおこの第二中央スイッチ１５２の構造も上記構造に限定されず、種々の変形が可能であることは前記実施の形態と同様である。さらにこの第二中央スイッチ基板１５０−２の中央上面（組み立てた後には下面となる）には、押圧部材１６０が接着等によって取り付けられる。押圧部材１６０は合成樹脂を平板状に成形することで形成され、その中央上面には突起状の押圧部１６１が設けられている。なお第一，第二中央スイッチ反転板１０５，１５５は、これらを反転させるための押圧力が異なるように構成している（この実施の形態では第二中央スイッチ反転板１５５を反転させるための押圧力の方が第一中央スイッチ反転板１０５を反転させるための押圧力よりも小さくなるようにしている）。
【００３２】
そして多方向押圧型スイッチ１−２を組み立てるには、まず図５において、揺動つまみ３０−２の挿通孔３１にその下面側から押釦つまみ５０−２の本体部５１を挿入した上で、この揺動つまみ３０−２の下面を、押圧部材１６０を取り付けた第二中央スイッチ基板１５０−２の下面に当接する。このとき揺動つまみ３０−２の各押圧部３５及び固定部３７，３７は第二中央スイッチ基板１５０−２の固定孔１０３に挿入される。そして両固定部３７，３７を熱カシメして潰すことで揺動つまみ３０−２を第二中央スイッチ基板１５０−２に固定する。このとき押釦つまみ５０−２は、そのガイド突起５５が揺動つまみ３０−２のガイド溝３９内に上下動自在に挿入されガイドされ、揺動つまみ３０−２と第二中央スイッチ基板１５０−２の間に収納される。
【００３３】
次に第二中央スイッチ基板１５０−２を取り付けた揺動つまみ３０−２の上面側を、ケース１０−２の開口１１にその下面側から挿入する（図５で言えば第二中央スイッチ基板１５０−２を取り付けた揺動つまみ３０−２を揺動つまみ３０−２の上面が上向きとなるように外周及び第一中央スイッチ基板９０−２の上面側に折り返したものをケース１０−２の開口１１にその下面側から挿入する）。そのときケース１０−２の各係止部１５を第二中央スイッチ基板１５０−２の各係止孔１０９に挿入し、各係止部１５の先端を熱カシメすることでケース１０−２に第二中央スイッチ基板１５０−２を固定する。このとき揺動つまみ３０−２の上面は、ケース１０−２の開口１１からその上面側に露出し、また押釦つまみ５０−２の本体部５１の上面も揺動つまみ３０−２の挿通孔３１から露出している。
【００３４】
次に第二中央スイッチ基板１５０−２等を取り付けたケース１０−２を、基台１２０−２上に載置した外周及び第一中央スイッチ基板９０−２の上に載置し、その際ケース１０−２に設けた各固定部１７を外周及び第一中央スイッチ基板９０−２の各固定用孔９８と、基台１２０−２の各貫通部１２１に挿入し、基台１２０−２の下面で各固定部１７の先端を熱カシメして固定すれば、図６にその断面を示すような多方向押圧型スイッチ１−２が完成する。
【００３５】
図６に示すように多方向押圧型スイッチ１−２は、第一中央スイッチ１０２の上部に第二中央スイッチ１５２を設置し、第二中央スイッチ１５２上に押釦つまみ５０−２を設置し、また外周スイッチ反転板９５（即ち外周スイッチ９２）上に揺動つまみ３０−２を設置して構成されている。そしてこのとき揺動つまみ３０−２の各押圧部３５は各外周スイッチ反転板９５の上面中央に当接又は接近して配置され、一方押圧部材１６０の押圧部１６１は第一中央スイッチ反転板１０５の上面中央に当接又は接近して配置され、押釦つまみ５０−２の押圧部５２は第二中央スイッチ反転板１５５の上面中央に当接又は接近して配置され、また第二中央スイッチ基板１５０−２の第二中央スイッチ反転板１５５を取り付けた部分の下面は押圧部材１６０の上面によって支持されている。
【００３６】
以上のように構成された多方向押圧型スイッチ１−２は、可撓性を有する合成樹脂フイルムに形成した二つの第一，第二スイッチ１０２，１５２を押釦つまみ５０−２の押圧方向に向けて上下に重ねて設置することで多段スイッチを構成しているので、多段スイッチの厚みは一枚の押圧部材１６０と二枚のフイルムと二枚の反転板１０５，１５５の厚みを加えた厚みだけとなり、スイッチが上下二段であるにもかかわらずその厚みの薄型化が図れ、また一枚のフイルムを折り畳むだけで二つのスイッチ１０２，１５２を押釦つまみ５０−２の押圧方向に向けて上下に重ねて設置することができるので、その組み立てが容易で部品点数も少なくて済み、製造コストの低廉化も図れる。
【００３７】
そして押釦つまみ５０−２を押圧すると押圧部５２が第二中央スイッチ反転板１５５を押圧してこれを反転し第二中央スイッチ１５２がオンする。さらに押釦つまみ５０−２を押圧すると押圧部１６１が第一中央スイッチ反転板１０５を押圧してこれを反転し第一中央スイッチ１０２がオンする。押釦つまみ５０−２への押圧を解除すると、第一，第二中央スイッチ反転板１０５，１５５の弾性復帰力によって上方向に押し上げられ、まず第一中央スイッチ１０２がオフした後に第二中央スイッチ１５２がオフする。
【００３８】
一方揺動つまみ３０−２を押圧すれば、押圧した部分が下降し、下降した部分の真下の押圧部３５がこれに対向する外周スイッチ反転板９５を押圧してこれを反転し、外周スイッチ９２がオンする。揺動つまみ３０−２への押圧を解除すると、外周スイッチ反転板９５の弾性復帰力によって揺動つまみ３０−２は元の中立位置に押し上げられ、外周スイッチ９２はオフする。
【００３９】
ところで揺動つまみ３０−２は可撓性を有するフイルムからなる第二中央スイッチ基板１５０−２上に取り付けられ、押釦つまみ５０−２は揺動つまみ３０−２と第二中央スイッチ基板１５０−２の間に収納されているので、揺動つまみ３０−２と押釦つまみ５０−２の動作をそれぞれほぼ独立して行わせることができるばかりか、両者の一体化とケース１０−２への固定とが容易になり、また構造の簡素化が図れる。
【００４０】
以上本発明の実施の形態を説明したが、本発明は上記実施の形態に限定されるものではなく、特許請求の範囲、及び明細書と図面に記載された技術的思想の範囲内において種々の変形が可能である。なお直接明細書及び図面に記載がない何れの形状や構造や材質であっても、本願発明の作用・効果を奏する以上、本願発明の技術的思想の範囲内である。例えば図１に示す押圧部１２３は必ずしも基台１２０上に設ける必要はなく、外周スイッチ基板９０の上面中央（中央スイッチ反転板１０５の中央に対向する位置）に成形樹脂製の押圧部を接着剤等によって固定して形成してもよい。また上記実施の形態では外周スイッチ基板９０と第一中央スイッチ基板１００と第二中央スイッチ基板１５０（又は外周及び第一中央スイッチ基板９０−２と第二中央スイッチ基板１５０−２）を一枚のフイルムに形成して折り曲げて上下に重ねたが、これらを別々のフイルムに形成して重ねても良いことは言うまでもない。
【００４１】
【発明の効果】
以上詳細に説明したように本発明によれば以下のような優れた効果を有する。
▲１▼揺動つまみの内部に設置した押釦つまみによってオンオフされる中央スイッチを多段スイッチで構成したので、押釦つまみの周囲に揺動つまみを設置してなる構造の多方向押圧型スイッチにおいて押釦スイッチの多段化が図れる。
【００４２】
▲２▼中央スイッチを構成する多段スイッチを、可撓性を有する合成樹脂フイルムに形成した複数のスイッチを押釦つまみの押圧方向に向けて上下に重ねることで構成したので、押釦つまみによってオンオフするスイッチを多段化しても、薄型化が容易に図れる。
【００４３】
▲３▼揺動つまみを可撓性を有する合成樹脂フイルム上に取り付け、押釦つまみをこの合成樹脂フイルムと揺動つまみの間に収納したので、揺動つまみと押釦つまみの一体化を図った上で揺動つまみに対して押釦つまみの押圧動作をほぼ独立して行わせることができる。
【００４４】
▲４▼第一中央スイッチ反転板と外周スイッチ反転板とが互いに向き合う方向であって第一中央スイッチ反転板と外周スイッチ反転板とが上下方向にて重なり合うように前記外周スイッチ基板と第一中央スイッチ基板とを上下に積層させたので、多方向押圧型スイッチ基板及びこれを用いた多方向押圧型スイッチの外形の小型化が図れる。
【図面の簡単な説明】
【図１】本発明の第一の実施の形態にかかる多方向押圧型スイッチ１の分解斜視図である。
【図２】揺動つまみ３０と押釦つまみ５０とを上面側から見た斜視図である。
【図３】多方向押圧型スイッチ１の斜視図である。
【図４】多方向押圧型スイッチ１の概略側断面図（図３のＢ−Ｂ断面図）である。
【図５】本発明の第二の実施の形態にかかる多方向押圧型スイッチ１−２の分解斜視図である。
【図６】多方向押圧型スイッチ１−２の概略断面図である。
【図７】従来の多方向押圧型スイッチ３００を示す概略断面図である。
【符号の説明】
１  多方向押圧型スイッチ
１０  ケース
３０  揺動つまみ
３５  押圧部
５０  押釦つまみ
５２  押圧部
８０  多方向押圧型スイッチ基板
９０  外周スイッチ基板
９１  外周スイッチ接点
９２  外周スイッチ
９５  外周スイッチ反転板
１００  第一中央スイッチ基板
１０１  第一中央スイッチ接点
１０２  第一中央スイッチ（中央スイッチ）
１０５  第一中央スイッチ反転板
１２０  基台
１２３  押圧部
１５０  第二中央スイッチ基板
１５１  第二中央スイッチ接点
１５２  第二中央スイッチ（中央スイッチ）
１５５  第二中央スイッチ反転板
１５７  補強板
１−２  多方向押圧型スイッチ
１０−２  ケース
３０−２  揺動つまみ
５０−２  押釦つまみ
８０−２  多方向押圧型スイッチ基板
９０−２  外周及び第一中央スイッチ基板
１２０−２  基台
１５０−２  第二中央スイッチ基板
１６０  押圧部材
１６１  押圧部
【図１】
2004303617.tif 000003
【図２】
2004303617.tif 000004
【図３】
2004303617.tif 000005
【図４】
2004303617.tif 000006
【図５】
2004303617.tif 000007
【図６】
2004303617.tif 000008
【図７】
2004303617.tif 000009